(57)【要約】本発明による人体の電気治療装置は、身体に当てることができる複数の電極と、電極を介して身体を通って流れる治療電流を発生する装置とを持ち、治療電流を発生する装置が、近接してうなりを形成するのに適した周波数ｆ１及びｆ２を持つ２つの発振器、うなり周波数ｆｓ１＝ｆ１−ｆ２より小さい周波数ｆ３を持つ１つの発振器、及び発振器信号を重畳するミクサ装置を含んでいる。本発明によれば、治療電流を発生する装置が、周波数ｆ４及びｆ５を持つ少なくとも２つの別の発振器を含み、周波数ｆ１〜ｆ５を持つすべての発振器の信号を重畳するミクサ装置が設けられている。
2013512054.tif 000002
【特許請求の範囲】
【請求項１】
人体の電気治療装置であって、身体に当てることがてきる複数の電極と、電極を介して身体を通って流れる治療電流を発生する装置とを持ち、治療電流を発生する装置が、近接してうなりを形成するのに適した周波数ｆ１及びｆ２を持つ２つの発振器、うなり周波数ｆｓ１＝ｆ１−ｆ２より小さい周波数ｆ３を持つ１つの発振器、及び発振器信号を重畳するミクサ装置を含んでいるものにおいて、治療電流を発生する装置が、周波数ｆ４及びｆ５を持つ少なくとも２つの別の発振器を含み、周波数ｆ１〜ｆ５を持つすべての発振器の信号を重畳するミクサ装置が設けられていることを特徴とする、装置。
【請求項２】
周波数ｆ４及びｆ５が、うなり周波数ｆｓ１より大きいうなり周波数ｆｓ２＝ｆ４−ｆ５を形成するのに適していることを特徴とする、請求項１に記載の装置。
【請求項３】
ミクサ装置により出力される信号のために増幅器（４）が設けられていることを特徴とする、請求項１又は２に記載の装置。
【請求項４】
ミクサ装置が、周波数ｆ１及びｆ２を持つ発振器信号を重畳する第１のミクサ（２）、及び第１のミクサ（２）の信号と周波数ｆ３，ｆ４及びｆ５を持つ発振器信号と重畳する第２のミクサ（３）を含んでいることを特徴とする、請求項１〜３の１つに記載の装置。
【請求項５】
信号を加算するミクサ装置が設けられていることを特徴とする、請求項１〜４の１つに記載の装置。
【請求項６】
うなり周波数ｆｓ１が０．１〜５Ｈｚなるべく０．１〜２Ｈｚであり／かつうなり周波数ｆｓ２が１〜１００Ｈｚであることを特徴とする、請求項１〜５の１つに記載の装置。
【請求項７】
周波数ｆ１及びｆ２及び／又は周波数ｆ４及びｆ５が３０００〜５０００Ｈｚなるべく４０００〜４４００Ｈｚであることを特徴とする、請求項１〜６の１つに記載の装置。
【請求項８】
2013512054.tif 000004
装置。
【請求項９】
周波数ｆ３を持つ発振器信号の振幅が、周波数ｆ１，ｆ２，ｆ３，ｆ４及びｆ５を持つ発振器信号の重畳から形成される振幅の少なくとも３倍に設定可能であることを特徴とする、請求項１〜８の１つに記載の装置。
【請求項１０】
周波数ｆ４及びｆ５を持つ発振器信号の振幅が、周波数ｆ１又はｆ２の振幅より小さいことを特徴とする、請求項１〜９の１つに記載の装置。
【発明の詳細な説明】
【技術分野】
【０００１】  本発明は、人体の電気治療装置であって、身体に当てることができる複数の電極と、電極を介して身体を通って流れる治療電流を発生する装置とを持ち、治療電流を発生する装置が、近接してうなりを形成するのに適した周波数ｆ１及びｆ２を持つ２つの発振器、うなり周波数ｆｓ１＝ｆ１−ｆ２より小さい周波数ｆ３を持つ１つの発振器、及び発振器信号を重畳するミクサ装置を含んでいるものに関する。
【背景技術】
【０００２】  このような装置は欧州特許第０６１２２５９号明細書から公知である。約４０００Ｈｚの周波数を持つ２つの交流電界が、１〜１００Ｈｚの周波数を持つうなりとなるように重畳される。これらの交流電界を周波数が０．１〜５Ｈｚの第３の交流電界に重畳することによって、基本周波数の徐々の極性変化が生じて、順次に反転する極性により、筋肉、神経及び血管組織が直流のように刺激される。
【発明の概要】
【発明が解決しようとする課題】
【０００３】  本発明の基礎になっている課題は、良好な皮膚相性で電気治療の有効性を高めることである。
【課題を解決するための手段】
【０００４】  本発明によればこの課題は、治療電流を発生する装置が、周波数ｆ４及びｆ５を持つ少なくとも２つの別の発振器を含み、周波数ｆ１〜ｆ５を持つすべての発振器の信号を重畳するミクサ装置が設けられていることによって解決される。【０００５】  驚くべきことに、治療される人間において電極が載る皮膚の個所にヒリヒリする痛み又は腐食反応が起こることなく、本発明による装置により一層大きい電流を使用できることがわかった。それにより治療期間を短縮することができる。発明者は、発振器の共同作用により皮膚相性が著しく改善され、更に身体の一層深い所にある範囲も刺激できることを発見した。【０００６】  更に２つの別の発振器の使用は、筋肉、神経、組織を種々の周波数範囲で刺激するのを可能にする。特に０．１〜３Ｈｚの周波数範囲によりリンパ循環を活発にし、１〜３０Ｈｚにより慢性の痛みを緩和し、約１００Ｈｚにおいて急性の痛みを緩和することができる。【０００７】  更に筋肉及び神経の刺激のほかに、組織おけるイオン環境も治癒のために有利な影響を受ける。別の発振器との重畳により、治療の際別の利点を得ることが考えられる。別の周波数範囲において適切に刺激を行うことができる。【０００８】  本発明の構成では、周波数ｆ４及びｆ５が、うなり周波数ｆｓ１より大きいうなり周波数ｆｓ２＝ｆ４−ｆ５を形成するのに適している。【０００９】  本発明の別の構成では、うなり周波数ｆｓ１が０．１〜５Ｈｚなるべく０．１〜２Ｈｚであり、周波数ｆ１及びｆ２が３０００〜５０００Ｈｚなるべく４０００〜４４００Ｈｚである。これらの周波数による治療は、皮膚の痛み受容体に僅かな影響しか及ぼさないので、治療を受ける人間には不快と感じられない。【００１０】  うなり周波数ｆｓ１が１〜１００Ｈｚであり、周波数ｆ４又はｆ５もなるべく同様に既にあげた３０００〜５０００Ｈｚなるべく４０００〜４４００Ｈｚの範囲にあるのがよい。【００１１】
2013512054.tif 000003
数ｆｓ１及びｆｓ２と比べて低い周波数で行われる極性変化によって、少なくとも特定の期間直流のような刺激が得られる。【００１２】  周波数ｆ３＝（ｆ１−ｆ２）／ｎ、ここでｎは２以上の数であるのがよい。発振器の適当な同期の際、周波数ｆ３の発振器との重畳によってうなり周波数ｆｓ１の常に完全なうなり波腹が正又は負の範囲へ移されるようになる。【００１３】  周波数ｆ３を持つ発振器信号の振幅が、他の発振器信号の重畳から形成される振幅の３倍であると、刺激電流治療により特に有利な治療結果が得られる。それにより、発振器信号の重畳から生じる信号が、特定の期間完全に正又は負の範囲へ移されるようにすることができる。【００１４】  刺激電流治療の電気化学的作用は、今や一層よく利用され、その際直流による治療の場合のように、ただ１つの方向へのイオンの望ましくない永続的な移動が回避される。イオンのこの移動により、更に身体組織にある膜における浸透及び拡散の機能を改善することができる。【００１５】  周波数ｆ４及びｆ５を持つ発振器信号の振幅が、周波数ｆ１及びｆ２の振幅より小さいのがよい。【００１６】  本発明の実施形態では、周波数ｆ１及びｆ２の発振器信号を重畳するため、ミクサ装置の第１のミクサが設けられている。こうしてうなり周波数が正確に設定される。更に第１のミクサにより出力される信号と他の発振器の信号とを重畳する第２のミクサが設けられている。【００１７】  装置が更に第２のミクサにより出力される信号用の増幅器を含んでいるのがよい。【００１８】  実施例及びこの実施例に関する添付図面により、本発明が以下に詳細に説明される。
【図面の簡単な説明】
【００１９】
【図１】  本発明による装置の回路図を示す。
【図２】  装置の第１のミクサの信号を示す。
【図３】  装置の第２のミクサの信号を示す。
【発明を実施するための形態】
【００２０】  本発明による装置の電極６，７により電流を印加する装置１の回路図が、図１に示されている。回路図は、５つの発振器Ｏ１，Ｏ２，Ｏ３，Ｏ４及びＯ５、２つのミクサ２及び３、増幅器４及び電極６，７用の出力端５を示している。周波数ｆ１及びｆ２を持つ発振器Ｏ１及びＯ２の信号はミクサ２において重畳され、その際うなり周波数ｆｓ１が形成される。
【００２１】  ミクサ２により出力される信号と発振器Ｏ３，Ｏ４及びＯ５の信号が、第２のミクサ３において重畳される。ミクサ３の出力信号のために増幅器４が設けられて、出力端５を介して電極６及び７において治療電流を出力する。
【００２２】  発振器Ｏ１〜Ｏ５の信号は、通常正弦波振動として出力される。しかし例えば三角振動又は方形振動のように別の形状も考えられる。
【００２３】  図２には、ミクサ２により出力される信号の電圧−時間線図が示されている。周波数ｆｓ１＝１Ｈｚのうなりが示され、ｆ１＝４００Ｈｚ及びｆ２＝３９９９Ｈｚの周波数を持つ発振器Ｏ１及びＯ２の信号の重畳から生じる。周波数ｆ１及びｆ２の適当な設定により、うなりの周波数が０．１Ｈｚ〜３Ｈｚの間で変化せしめられ、必要な治療に応じて、特にリンパ循環の刺激のために合わされる。
【００２４】  発振器Ｏ４及びＯ５の信号の周波数ｆ４及びｆ５は４０１０Ｈｚ及び４０４０Ｈｚであり、慢性痛みの治療の範囲にある３０Ｈｚのうなり周波数ｆｓ２となるように重畳される。周波数ｆ４及びｆ５の適当な変化により、この場合も追及される治療目的に応じて、１〜１００Ｈｚの別のうなり周波数ｆｓ２が設定される。
【００２５】  図３からわかるように、特に発振器Ｏ１，Ｏ２，Ｏ４及びＯ５の信号の重畳から生じる電圧の３倍に、発振器Ｏ３の信号の大きさを設定することにより、全体として生じてミクサ３により出力される信号が、完全に正又は負の範囲へ移される。
【００２６】  周波数ｆ３は、増幅器４により出力される電圧が身体においてそれぞれの方向に流れる期間を決定し、この実施例では０．５Ｈｚ従って周波数ｆｓ１の半分である。
【００２７】  従って少なくとも特定の期間、電極が載る皮膚の個所に痛み又は腐食傷が表れることなく、直流のような治療が高い効能で行われる。
【図１】
2013512054.tif 000005
【図２】
2013512054.tif 000006
【図３】
2013512054.tif 000007
【国際調査報告】
2013512054.tif 000008
2013512054.tif 000009
2013512054.tif 000010
2013512054.tif 000011
2013512054.tif 000012
2013512054.tif 000013